(57)【要約】【課題】  画像データに基づく画像の表示サイズを切り替える際の処理負荷を抑えた表示制御装置、表示制御方法、及びプログラムを提供する。【解決手段】  移動操作が受け付けられる前から表示部に表示されている複数のオブジェクトの各々のサイズを、前記移動操作が受け付けられる前のサイズから、前記移動操作による操作部の移動が終了した時に所定のオブジェクトによって示される情報に対応し且つ前記移動操作による前記操作部の移動が終了した時のバー上の前記操作部の位置に応じたサイズに、前記移動操作による前記操作部の移動が終了した後に、変更することを特徴とする表示制御装置を提供することで課題を解決する。【選択図】  図８
2019070808.tif 000002
【特許請求の範囲】
【請求項１】
複数のオブジェクトを所定の領域に表示し、操作部及び、前記操作部が移動可能なバーを、前記所定の領域以外の領域に表示する制御手段と、
前記操作部を前記バー上において移動させる移動操作を受け付け可能である受付手段と、を備え、
前記移動操作が受け付けられた場合、前記制御手段は、前記バー上の前記操作部の位置に応じたサイズに関する情報を示し且つ前記複数のオブジェクトではない所定のオブジェクトを、表示部上に前記複数のオブジェクトが表示されている状態で、前記表示部に新たに表示させ、
前記制御手段は、前記移動操作が受け付けられる前から前記表示部に表示されている前記複数のオブジェクトの各々のサイズを、前記移動操作が受け付けられる前のサイズから、前記移動操作による前記操作部の移動が終了した時に前記所定のオブジェクトによって示される情報に対応し且つ前記移動操作による前記操作部の移動が終了した時の前記バー上の前記操作部の位置に応じたサイズに、前記移動操作による前記操作部の移動が終了した後に、変更することを特徴とする表示制御装置。
【請求項２】
前記制御手段は、前記複数のオブジェクトが表示されている画面において、前記複数のオブジェクトの印刷に関する設定を行うための画面を表示するための領域を前記表示部に表示させることを特徴とする請求項１に記載の表示制御装置。
【請求項３】
前記移動操作による前記操作部の移動が終了した時に前記所定のオブジェクトによって示される情報に対応し且つ前記移動操作による前記操作部の移動が終了した時の前記バー上の前記操作部の位置に応じたサイズの前記複数のオブジェクトが前記表示部に表示された状態では、前記所定のオブジェクトは、前記表示部に表示されないことを特徴とする請求項１又は２に記載の表示制御装置。
【請求項４】
前記制御手段は、前記複数のオブジェクトが配置されたレイヤを含む複数のレイヤを前記表示部に表示させ、
前記制御手段は、前記移動操作が受け付けられた場合に、前記複数のオブジェクトが配置されたレイヤの上方に、前記所定のオブジェクトが配置されたレイヤを表示させることを特徴とする請求項１〜３のいずれか一項に記載の表示制御装置。
【請求項５】
前記制御手段は、前記所定のオブジェクトが表示された状態では、前記複数のオブジェクトがマスクオブジェクトによって覆われるように、前記表示部の表示を制御することを特徴とする請求項１〜４のいずれか一項に記載の表示制御装置。
【請求項６】
前記マスクオブジェクトは透過性があることを特徴とする請求項５に記載の表示制御装置。
【請求項７】
前記複数のオブジェクトに対応する画像データのデコード処理を実行する処理手段をさらに有し、
前記処理手段は、前記デコード処理を、前記移動操作によって前記操作部が移動している状態では実行せず、前記デコード処理を、前記移動操作による前記操作部の移動が終了した後に実行することを特徴とする請求項１〜６のいずれか一項に記載の表示制御装置。
【請求項８】
前記処理手段は、前記移動操作が受け付けられた後に、当該移動操作が受け付けられる前の位置に前記操作部が戻った場合、前記デコード処理を実行しないことを特徴とする請求項７に記載の表示制御装置。
【請求項９】
前記バーは、複数部分に分割され且つ各部分には前記移動操作による前記操作部の移動が終了した後に表示される前記複数のオブジェクトに含まれるオブジェクトのサイズが対応付けられている指示オブジェクトであることを特徴とする請求項１〜８のいずれか一項に記載の表示制御装置。
【請求項１０】
前記所定のオブジェクトは、前記バー上の前記操作部の位置に応じたサイズと同じサイズとなることで、前記バー上の前記操作部の位置に応じたサイズに関する情報を示すことを特徴とする請求項１〜９のいずれか一項に記載の表示制御装置。
【請求項１１】
前記操作部を前記バー上において前記第１方向に移動させる前記移動操作が受け付けられた後に、当該移動操作が受け付けられる前の位置に前記操作部が戻った場合、前記制御手段は、前記表示部に表示されている前記複数のオブジェクトのサイズを変更しないことを特徴とする請求項１〜１０のいずれか一項に記載の表示制御装置。
【請求項１２】
前記所定のオブジェクトが表示されていない状態では、前記複数のオブジェクトのいずれかに対して所定の操作が実行された場合に、前記複数のオブジェクトのうち前記所定の操作が実行されたオブジェクトの表示状態が変化し、
前記所定のオブジェクトが表示された状態では、前記複数のオブジェクトに対する操作が無効化されることを特徴とする請求項１〜１１のいずれか一項に記載の表示制御装置。
【請求項１３】
前記操作部が前記バーにおいて第１の方向に移動することに応じて、前記所定のオブジェクトによって示される情報に対応するサイズが大きくなり、前記操作部が前記バーにおいて前記第１の方向と反対の方向である第２の方向に移動することに応じて、前記所定のオブジェクトによって示される情報に対応するサイズが小さくなることを特徴とする請求項１〜１２のいずれか一項に記載の表示制御装置。
【請求項１４】
前記バーに対して前記第１の方向には、前記操作部が前記バーにおいて前記第１の方向に移動することに応じて、前記所定のオブジェクトによって示される情報に対応するサイズが大きくなることを示すアイコンが表示され、前記バーに対して前記第２の方向には、前記操作部が前記バーにおいて前記第２の方向に移動することに応じて、前記所定のオブジェクトによって示される情報に対応するサイズが小さくなることを示すアイコンが表示されることを特徴とする請求項１３に記載の表示制御装置。
【請求項１５】
表示制御装置において実行される表示制御方法であって、
複数のオブジェクトを所定の領域に表示し、操作部及び、前記操作部が移動可能なバーを、前記所定の領域以外の領域に表示する制御工程と、
前記操作部を前記バー上において移動させる移動操作を受け付ける受付工程と、を有し、
前記移動操作が受け付けられた場合、前記バー上の前記操作部の位置に応じたサイズに関する情報を示し且つ前記複数のオブジェクトではない所定のオブジェクトが、表示部上に前記複数のオブジェクトが表示されている状態で、前記表示部に新たに表示され、
前記移動操作が受け付けられる前から前記表示部に表示されている前記複数のオブジェクトの各々のサイズが、前記移動操作が受け付けられる前のサイズから、前記移動操作による前記操作部の移動が終了した時に前記所定のオブジェクトによって示される情報に対応し且つ前記移動操作による前記操作部の移動が終了した時の前記バー上の前記操作部の位置に応じたサイズに、前記移動操作による前記操作部の移動が終了した後に、変更されることを特徴とする表示制御方法。
【請求項１６】
コンピュータを、
複数のオブジェクトを所定の領域に表示し、操作部及び、前記操作部が移動可能なバーを、前記所定の領域以外の領域に表示する制御手段と、
前記操作部を前記バー上において移動させる移動操作を受け付け可能である受付手段として機能させ、
前記移動操作が受け付けられた場合、前記バー上の前記操作部の位置に応じたサイズに関する情報を示し且つ前記複数のオブジェクトではない所定のオブジェクトが、表示部上に前記複数のオブジェクトが表示されている状態で、前記表示部に新たに表示され、
前記移動操作が受け付けられる前から前記表示部に表示されている前記複数のオブジェクトの各々のサイズが、前記移動操作が受け付けられる前のサイズから、前記移動操作による前記操作部の移動が終了した時に前記所定のオブジェクトによって示される情報に対応し且つ前記移動操作による前記操作部の移動が終了した時の前記バー上の前記操作部の位置に応じたサイズに、前記移動操作による前記操作部の移動が終了した後に、変更されることを特徴とするプログラム。
【請求項１７】
前記複数のオブジェクトが表示されている画面において、前記複数のオブジェクトの印刷に関する設定を行うための画面を表示するための領域が前記表示部に表示されることを特徴とする請求項１６に記載のプログラム。
【請求項１８】
前記移動操作による前記操作部の移動が終了した時に前記所定のオブジェクトによって示される情報に対応し且つ前記移動操作による前記操作部の移動が終了した時の前記バー上の前記操作部の位置に応じたサイズの前記複数のオブジェクトが前記表示部に表示された状態では、前記所定のオブジェクトは、前記表示部に表示されないことを特徴とする請求項１６又は１７に記載のプログラム。
【請求項１９】
前記複数のオブジェクトが配置されたレイヤを含む複数のレイヤが前記表示部に表示され、
前記移動操作が受け付けられた場合に、前記複数のオブジェクトが配置されたレイヤの上方に、前記所定のオブジェクトが配置されたレイヤが表示されることを特徴とする請求項１６〜１８のいずれか一項に記載のプログラム。
【請求項２０】
前記所定のオブジェクトが表示された状態では、前記複数のオブジェクトがマスクオブジェクトによって覆われるように、前記表示部の表示が制御されることを特徴とする請求項１６〜１９のいずれか一項に記載のプログラム。
【請求項２１】
前記マスクオブジェクトは透過性があることを特徴とする請求項２０に記載のプログラム。
【請求項２２】
前記複数のオブジェクトに対応する画像データのデコード処理を実行する処理工程をさらに実行させ、
前記デコード処理が、前記移動操作によって前記操作部が移動している状態では実行されず、前記デコード処理が、前記移動操作による前記操作部の移動が終了した後に実行されることを特徴とする請求項１６〜２１のいずれか一項に記載のプログラム。
【請求項２３】
前記移動操作が受け付けられた後に、当該移動操作が受け付けられる前の位置に前記操作部が戻った場合、前記デコード処理が実行されないことを特徴とする請求項２２に記載のプログラム。
【請求項２４】
前記バーは、複数部分に分割され且つ各部分には前記移動操作による前記操作部の移動が終了した後に表示される前記複数のオブジェクトに含まれるオブジェクトのサイズが対応付けられている指示オブジェクトであることを特徴とする請求項１６〜２３のいずれか一項に記載のプログラム。
【請求項２５】
前記所定のオブジェクトは、前記バー上の前記操作部の位置に応じたサイズと同じサイズとなることで、前記バー上の前記操作部の位置に応じたサイズに関する情報を示すことを特徴とする請求項１６〜２４のいずれか一項に記載のプログラム。
【請求項２６】
前記操作部を前記バー上において前記第１方向に移動させる前記移動操作が受け付けられた後に、当該移動操作が受け付けられる前の位置に前記操作部が戻った場合、前記表示部に表示されている前記複数のオブジェクトのサイズが変更されないことを特徴とする請求項１６〜２５のいずれか一項に記載のプログラム。
【請求項２７】
前記所定のオブジェクトが表示されていない状態では、前記複数のオブジェクトのいずれかに対して所定の操作が実行された場合に、前記複数のオブジェクトのうち前記所定の操作が実行されたオブジェクトの表示状態が変化し、
前記所定のオブジェクトが表示された状態では、前記複数のオブジェクトに対する操作が無効化されることを特徴とする請求項１６〜２６のいずれか一項に記載のプログラム。
【請求項２８】
前記操作部が前記バーにおいて第１の方向に移動することに応じて、前記所定のオブジェクトによって示される情報に対応するサイズが大きくなり、前記操作部が前記バーにおいて前記第１の方向と反対の方向である第２の方向に移動することに応じて、前記所定のオブジェクトによって示される情報に対応するサイズが小さくなることを特徴とする請求項１６〜２７のいずれか一項に記載のプログラム。
【請求項２９】
前記バーに対して前記第１の方向には、前記操作部が前記バーにおいて前記第１の方向に移動することに応じて、前記所定のオブジェクトによって示される情報に対応するサイズが大きくなることを示すアイコンが表示され、前記バーに対して前記第２の方向には、前記操作部が前記バーにおいて前記第２の方向に移動することに応じて、前記所定のオブジェクトによって示される情報に対応するサイズが小さくなることを示すアイコンが表示されることを特徴とする請求項２８に記載のプログラム。
【発明の詳細な説明】
【技術分野】
【０００１】
本発明は、表示制御装置、表示制御方法及びプログラムに関する。
【背景技術】
【０００２】
近年、デジタルカメラ、カメラ付き携帯電話、複合プリンタ機器（マルチファンクションプリンタ、以下ＭＦＰと略す）などが製品化されている。これらの機器では、メモリーカードなどの保存媒体に保存されているデジタル画像データを、機器に組み込まれている画像表示装置で表示可能となっている。また、複数の画像データを同時に確認するために、１つの画像表示装置内に複数のサムネイル画像を同時に表示可能となっている。
【０００３】
本出願人は、画面の分割数を変えて表示画像の表示倍率を変更して表示する方法を提案している（特許文献１）。特許文献１では、複数のデジタル画像を表示するために、画像データのデコード処理を行って、特定のサイズに伸張する。
【先行技術文献】
【特許文献】
【０００４】
【特許文献１】特開２０１１−１８０２８８号
【発明の概要】
【発明が解決しようとする課題】
【０００５】
しかしながら、画像を所定の倍率で表示させた後に、再度表示倍率を変更したい場合、画像データを展開して表示するまでに時間がかかるため、再表示まで時間がかかるという問題があった。なお、画像データを高速に展開・表示するためのハードウェア等を備えるものとするとコストがかかってしまう。また、複数の画像を表示するためには画像データの表示数に応じたデコード処理が必要であり、表示画像の表示倍率を変更する度に処理負荷が高くなってしまう。
【０００６】
本発明は、上述した事情に鑑み、画像データに基づく画像の表示サイズを切り替える際の処理負荷を抑えた表示制御装置、表示制御方法、及びプログラムを提供することを目的とする。
【課題を解決するための手段】
【０００７】
上記の課題を解決するための本発明の表示制御装置は、複数のオブジェクトを所定の領域に表示し、操作部及び、前記操作部が移動可能なバーを、前記所定の領域以外の領域に表示する制御手段と、前記操作部を前記バー上において移動させる移動操作を受け付け可能である受付手段と、を備え、前記移動操作が受け付けられた場合、前記制御手段は、前記バー上の前記操作部の位置に応じたサイズに関する情報を示し且つ前記複数のオブジェクトではない所定のオブジェクトを、表示部上に前記複数のオブジェクトが表示されている状態で、前記表示部に新たに表示させ、前記制御手段は、前記移動操作が受け付けられる前から前記表示部に表示されている前記複数のオブジェクトの各々のサイズを、前記移動操作が受け付けられる前のサイズから、前記移動操作による前記操作部の移動が終了した時に前記所定のオブジェクトによって示される情報に対応し且つ前記移動操作による前記操作部の移動が終了した時の前記バー上の前記操作部の位置に応じたサイズに、前記移動操作による前記操作部の移動が終了した後に、変更することを特徴とする。
【発明の効果】
【０００８】
本発明によれば、画像データに基づく画像の表示サイズを切替える際に、画像自体の表示前に、画像の表示サイズを視覚的に示すことにより、処理負荷を抑え、ユーザに画像の表示サイズを容易に決定させることができる。
【図面の簡単な説明】
【０００９】
【図１】実施形態１に係る表示制御装置の概略図である。
【図２】実施形態１に係る表示制御装置の操作パネルの外観図及び構成を示す説明図である。
【図３】実施形態１に係る表示部の一画面表示モードの表示例を示す図である。
【図４】実施形態１に係る表示部の一覧表示モードの表示例を示す図である。
【図５】実施形態１に係る表示部のレイヤ構造を説明する図である。
【図６】実施形態１に係る表示部の一覧表示モードの表示例を示す図である。
【図７】実施形態１に係る表示部の一覧表示モードの表示例を示す図である。
【図８】実施形態１に係る表示部の一覧表示モードの表示例を示す図である。
【図９】実施形態１に係る画像表示切替え処理のフローチャートである。
【図１０】実施形態１に係る表示枚数変更処理のフローチャートである。
【図１１】実施形態１に係る画像リスト作成処理のフローチャートである。
【図１２】実施形態１に係る画像リストの構造の一例を示す図である。
【発明を実施するための形態】
【００１０】
（実施形態１）
以下、図面を参照しながら、この発明の好適な実施形態を例に挙げて、本発明について詳細に説明する。ただし、この実施形態に記載されている構成要素の相対配置、表示画面等は、特に特定的な記載がない限りは、この発明の範囲をそれらのみに限定する趣旨のものではない。
【００１１】
図１は、表示制御装置の一実施形態としての画像処理装置の回路構成を示すブロック図である。本実施形態に係る画像処理装置１００は、スキャニング機能、プリンティング機能、及びカードダイレクト機能を併せ持つＭＦＰである。
【００１２】
画像処理装置１００は、ＣＰＵ１０１、ＲＯＭ１０２、ＤＲＡＭ１０３、プリンタエンジン１０４、カードスロット１０５、ＰＣ  Ｉ／Ｆ１０７、イメージプロセッサ１０９、操作パネル１１１を備えており、それぞれがシステムバスにより接続されている。
【００１３】
ＣＰＵ１０１は、画像処理装置１００のシステム制御部であり、画像処理装置１００全体を制御する。また、ＲＯＭ１０２は、画像処理装置１００のシステム制御プログラムを格納する。ＣＰＵ１０１は、例えば、ＲＯＭ１０２に格納されているシステム制御プログラムに基づいて、画像処理装置１００に関する各種動作を実行する。本実施形態では、ＣＰＵ１０１のシステム制御プログラムは、ＲＯＭ１０２に格納されているものとしたが、これに限定されず、フロッピー（登録商標）ディスクやＣＤ−ＲＯＭ等による外部の記憶媒体に記憶されていてもよい。
【００１４】
ＤＲＡＭ１０３は、主に、画像データを格納し、プリンタエンジン１０４は、入力された画像データに基づいて画像を被記録媒体（記録紙）に印刷する。
【００１５】
ＰＣ  Ｉ／Ｆ１０７は、画像処理装置１００とパーソナルコンピュータ１０８とを接続するインターフェースである。パーソナルコンピュータ１０８は、ＰＣ  Ｉ／Ｆ１０７を介して画像処理装置１００の各種設定データ変更や各種動作の起動要求を行うことのできるホストコンピュータである。
【００１６】
イメージセンサ１１０はいわゆるスキャナユニットである。すなわち、原稿台上の画像の読取りを行うための接触型読取りセンサ等の画像読取手段であって、読み取った画像を画像データに変換する。イメージプロセッサ１０９は、イメージセンサ１１０から入力された画像データに各種画像処理を施す。
【００１７】
操作パネル１１１は、不図示であるパワースイッチや各種ハードキー１１２と、画像処理装置１００の操作状況や状態等を表示するための表示部１１３と、表示部１１３上に配置されたタッチパネル１１５と、を有している。操作パネル１１１は、操作者が自身の指あるいはタッチペン等の器具をタッチパネル１１５に触れると、指や器具が触れた位置座標がタッチパネルコントローラ１１４によって検出され、タッチイベントが発生するように構成されている。タッチパネル１１５によるタッチイベント発生手順、位置座標の検出方法、操作方法については後述する。
【００１８】
カードスロット１０５は、メモリーカード１０６を接続するためのインターフェースである。画像処理装置１００にメモリーカード１０６を接続した場合、ユーザはタッチパネル１１５及び表示部１１３を介してメモリーカード１０６内に保存されている画像から任意の画像を選択／閲覧することが可能となる。
【００１９】
ユーザに選択された画像は、各種印刷設定を経た後に印刷実行を指示されると、ＣＰＵ１０１によって解析され、プリンタエンジン１０４より印刷される。このとき、ＤＲＡＭ１０３は印刷データ用のバッファとして使用する。なお、ＤＲＡＭ１０３には、メモリーカード１０６から選択した画像だけを取り込むようにしてもよいし、印刷スピードを向上させるために前記画像すべてを取り込むようにしてもよい。
【００２０】
本実施形態では、プリンタエンジン１０４と操作パネル１１１は独立して処理が可能であり、印刷を実行しながら操作パネル１１１を介してユーザ操作を受け付けるといったマルチタスク動作が可能な構成となっている。ただし、このような構成では、全ての処理はＣＰＵ１０１に集積されるため、負荷の重い複数処理の同時実行によりＣＰＵ１０１の処理能力を超える場合には、同時動作の処理に影響を及ぼすこととなる。
【００２１】
ここで、図２〜４を用いて、本実施形態に係る操作パネル１１１と、操作パネル１１１のタッチパネル１１５の操作方法について詳細に説明する。図２（ａ）は、本実施形態に係る操作パネル１１１の外観構成の一例を示す図である。操作パネル１１１は、ハードキー１１２として、ホームキー２０１、戻るキー２０２、スタートキー２０３を備えている。
【００２２】
ホームキー２０１は、すべての機能の起点であるホーム画面へ遷移するためのキーである。ホーム画面には、各種機能がいくつかのカテゴリに分類され、それぞれがアイコンで表示されており、ユーザがその中の一つをタッチすることにより機能を選択することができるように構成されている。
【００２３】
戻るキー２０２は、一つ前の画面へ遷移するためのキーである。ホーム画面より始まる画面の遷移は履歴に保存され、戻るキー２０２を押下することにより、履歴をたどって一つ前の画面に遷移することができる。従ってすべての起点であるホーム画面においては戻るキー２０２は無効である。
【００２４】
スタートキー２０３は、イメージセンサ１１０による原稿画像の読取り動作や、プリンタエンジン１０４によるプリント動作などを開始するキーである。
【００２５】
表示部１１３には、図示しないが、アイコン、画像イメージ、ソフトキーなどにより構成される表示オブジェクトが、定められたレイアウト情報に応じて配置されている。これら各々の表示オブジェクトには、タッチイベントを受け取るかどうかのフラグ情報が付加されている。タッチイベントを受け取るというフラグ情報が付加されている表示オブジェクトにタッチイベントが発行されると、ＣＰＵ１０１に通知され、各表示オブジェクトに対してプログラムされた処理が実行される。また、表示部１１３に配置されている表示オブジェクトは、複数の階層（レイヤ）に分かれて表示が管理されており、各レイヤはそれぞれ独立して描画処理が可能となっている。レイヤ構造の詳細については後述するが、各レイヤに描画された表示オブジェクトは、定められた順番に重ねて表示部１１３に表示可能な構成となっている。レイヤ構造により重なっている表示オブジェクトにおいて、上方のレイヤに配置された表示オブジェクトに対してタッチイベントを受け取ると、タッチイベントが発行される。
【００２６】
図２（ｂ）はタッチパネル１１５において位置情報がどのように扱われるかを示す模式図である。図２（ｂ）に示すように、位置座標は、例えば、左上を原点とした二次元のＸＹ座標面上の位置として定義される。本実施形態では表示部１１３は、Ｘ方向に６４０ピクセル、Ｙ方向に４８０ピクセルで構成されており、タッチパネル１１５は、これと一致させるためにＸ方向に６４０の分解能、Ｙ方向に４８０の分解能を持っている。以下、タッチパネル１１５上で接触を検出した位置座標が表示部１１３上に表示されているオブジェクトの表示位置と一致したとＣＰＵ１０１が判断した場合を「タッチする」、離されたとＣＰＵ１０１が判断した場合を「リリースする」とも表現する。さらに、その触れている状態が維持されると、図示しないタイマーにより一定周期毎に位置情報を含んだドラッグイベントが発行され、触れている状態が解除されるとリリースイベントが発行される。このようにして、ポインティングデバイスであるマウスによって表示部１１３上の位置を指定する代わりに、操作者の指やタッチペンなどが直接的なポインティングデバイスとなり表示部１１３上の位置を指定することができる。
【００２７】
以上の構成により、画像処理装置１００の操作パネル１１１は、ユーザが表示部１１３を見ながらハードキー１１２又はタッチパネル１１５を操作することによって指示入力や各種設定操作を行うことが可能である。また、表示部１１３を通じて画像処理装置１００の状態を確認することが可能である。
【００２８】
次に、図１１を用いて、カードスロット１０５にメモリーカード１０６が接続された場合における画像リストの作成手順について説明する。図１１は、カードスロット１０５にメモリーカード１０６が接続された場合にＣＰＵ１０１が実行する画像リストの作成手順のフロー図である。なお、本実施形態では、画像処理装置１００は、ＦＡＴ形式のファイルシステムに対応しており、また画像ファイルの拡張子が”．ｊｐｇ”（ＪＰＥＧフォーマットで圧縮された画像）のみを有効な画像ファイルとして認識する。
【００２９】
カードスロット１０５にメモリーカード１０６が接続されたことを検知すると（Ｓ１２０１）、メモリーカード１０６内に保存されているデジタルデータの１つのファイル情報を読み出す（Ｓ１１０２）。ファイル情報として読み出す情報には、拡張子を含むファイル名、タイムスタンプ（ファイルの更新日時）情報などが含まれる。
【００３０】
次に、読み出したファイル名が有効な拡張子であるかどうかを判断して、ファイル情報が有効であるか否かを判断する（Ｓ１１０３）。ファイル情報が無効である場合にはファイル情報は読み捨てる（Ｓ１１０５）。ファイル情報が有効である場合には、画像リストに新たに読み出したファイル情報を追加し、さらに各ファイル情報のタイムスタンプの古い順で並び変えて画像リストを更新する（Ｓ１１０４）。なお、ここでは、タイムスタンプの古い順に並べ替えたが、画像リストの並べ替えはこれに限定されるものではなく、例えば、タイムスタンプの新しい順に並べ替えてもよく、他のファイル情報に基づいて、画像リストを並べ替えてもよい。
【００３１】
画像リストはＤＲＡＭ１０３上に保存されるため数に制限が設けられているため、ファイル情報の数がリスト数の上限であるか否かを判断する（Ｓ１１０６）。リスト数の上限である場合、例えば、２０００枚がリストの上限のとき２０００枚に達すると、画像リスト作成処理を終了する（Ｓ１１０８）。リスト数の上限ではない場合は、この画像リストの更新を全てのファイルに対して確認を繰り返して（Ｓ１１０７）、画像リストを完成させる（Ｓ１１０８）。
【００３２】
ここで、図１２を用いて画像リストについて説明する。図１２は、ＤＲＡＭ１０３に保存されている画像リストのデータ構成を示す図である。図１２に示すように、画像リスト１２０１は、リスト番号１２０２と、ファイル名１２０３と、タイムスタンプ１２０４といった各種情報を含んでいる。リスト番号１２０２は、各画像データの画像リストにおける並び順を示している。ファイル名１２０３は、パス情報を含んだ各画像データのファイル名、タイムスタンプ１２０４は、各画像データの更新日情報である。ここでは、画像データが５つの場合を例示している。
【００３３】
図３〜図８を用いて、表示部１１３とタッチパネル１１５を操作してメモリーカード１０６の情報から作成された画像リスト１２０１に保存されている画像から任意の画像を選択／閲覧する操作方法について詳細に説明する。
【００３４】
図３（ａ）は、表示部１１３にメモリーカード１０６内の画像が表示される一画面表示モードにおける表示例である。表示部１１３は、一画面表示モードにおいて、画像表示部３０１と、画像送りキー３０２及び３０３と、印刷設定ボタン３０４と、一覧表示ボタン３０５と、を表示する。
【００３５】
一画面表示モードの場合、画像リスト１２０１において選択されている画像データに基づく画像（デフォルトでは最新更新日の画像）は、ＣＰＵ１０１によるソフトウェアの処理によりデコード処理が行われて、図３（ａ）に示すように画像表示部３０１に表示される。この状態で操作パネル１１１上のスタートキー２０３が押下されると、ＣＰＵ１０１を介して処理が行われ、表示されている画像がプリンタエンジン１０４により紙などの被記録媒体に印刷される構成となっている。画像表示部３０１に表示されている画像以外の画像を閲覧する場合には、左右に配置されている画像送りキー３０２又は画像送りキー３０３をタッチすればよい。これにより、画像リストに対して順送り又は逆送りが行われ、画像を順次呼び出されてデコード処理され、画像表示部３０１に表示される。また、画像表示部３０１を指３０６によりタッチしたまま動かす送り操作により、位置座標の検出に応じて画像表示部３０１に表示される画像３０１１のみが左右に動くように構成されている。図３（ｂ）は、ユーザの指３０６により、画像表示部３０１に表示される画像を、元の画像３０１１から次の画像３０１２に切り替えている途中の状態を示している。このように、画像表示部３０１は、指３０６の操作により、元の画像の移動方向とは反対方向から新たな画像が現れることにより、画像リストの１つ前又は後の画像を表示することが可能な構成となっている。言い換えれば、仮想的には画像表示部３０１に表示される画像３０１１の左右には他の画像が隠れているという構成としている。
【００３６】
ユーザが印刷設定キー３０４をタッチすることにより、被記録媒体の種類（例えば、紙種）、サイズ、品位などの印刷に関する各種設定が可能な印刷設定画面が表示される。
【００３７】
また、ユーザが一覧表示キー３０５をタッチすることにより、一画面表示モードから一覧表示モードに画面が切り替わり、表示部１１３に複数の画像が同時に表示される。これにより、ユーザが複数の画像を同時に確認することが可能となる。
【００３８】
図４（ａ）は、表示部１１３の一覧表示モードの画面表示例を示している。図４（ａ）に示すように、本実施形態では、一覧表示モードでは、まず、１画面で最大２０個の画像を表示する２０面表示となる。この一覧表示モードは、２０枚の画像を表示する画像表示部４０１と、印刷設定ボタン３０４と、画像枚数切替え部４０２と、を備えている。一覧表示モードが開始されると、メモリーカード１０６内に保存されている画像を、画像リストに従って、画像表示部４０１の所定枚数分（図では２０枚）に分割されているコマの所定位置に複数の画像（４０１（ａ）、４０１（ｂ）など）をそれぞれ表示する。このように画像の表示を行うためには、表示する画像の画像データをリストに従い１枚ずつメモリーカードから読み出し、表示するコマのサイズに合わせて画像のデコード処理を行う。画像処理装置１００が、表示のためのデコード処理を実行する特別なハードウェアを持っていない場合には、これら一連の処理の流れを表示枚数分ＣＰＵ１０１で実行するため、ＣＰＵ１０１の負荷を要することになる。
【００３９】
一覧表示モードにおいて表示枚数よりも画像リストの数が多い場合、仮想的には画像表示部の左右に他の画像が隠れているという構成としている。画像表示部４０１にタッチしながら指３０６を左右に動かすことにより、画像表示部４０１内の画像のみが左右に移動し、画像リストの順で画像が現れ、表示される。
【００４０】
画像を選択する場合には、ユーザが特定の画像（例えば、４０１（ａ））をタッチして、リリースすることにより、一画面表示モード（図３（ａ）参照）に切替り、指定された画像が画像表示部３０１に表示される。
【００４１】
なお、印刷設定ボタン３０４は、図３（ａ）と同じなので説明を省略する。
【００４２】
画像枚数切替え部４０２に対してタッチ操作を行うことで一覧表示モードにおける表示枚数の切替えが可能となる。本実施形態では、画像枚数切替え部４０２は、複数段階の切替えが可能となっており、内部に配置されている枚数切替えスイッチ４０３の位置により各段階における画像表示枚数が決定される。すなわち、画像枚数切替え部４０２は、複数部分に分割され且つ各部分には画像の表示サイズが対応付けられている。画像枚数切替え部４０２の内部は、枚数切替えスイッチ４０３の移動可能な範囲（不図示）がタッチ可能な構成となっている。本実施形態では、ユーザが枚数切替えスイッチ４０３の移動可能な範囲に最初に触れた場合、枚数切替えスイッチ４０３を触れていなくても、その触れた位置に枚数切替えスイッチ４０３が移動し、表示枚数の切り替えを実行するものとした。また、枚数切替えスイッチ４０３は、画像枚数切替え部４０２の特定の領域内（不図示）をユーザのタッチ操作に応じ左右に追随して特定範囲内で動かすことが可能である。
【００４３】
以上の構成により、画像枚数切替え部４０２のタッチ操作や枚数切替えスイッチ４０３を左右に動かすユーザ操作により、複数の段階の１画面において最大表示可能な枚数の中から所望の枚数の画像表示切替えの設定が可能となる。なお、本実施形態では、枚数切替えスイッチ４０３は、左に位置した場合は画像枚数が少ない（６枚）、中央に位置した場合は画像枚数が標準（２０枚）、右に位置した場合は画像枚数が多い（８０枚）の３段階で切替えが可能とした。この画像枚数に応じて、画像表示部４０１における１画像の表示サイズが異なる。
【００４４】
次に、図４（ｂ）を用いて、一覧表示モードの切り替え時における画像表示について説明する。図４（ａ）に示す一覧表示モードの状態で枚数切替えスイッチ４０３を指でタッチすると、図４（ｂ）の表示に切り替わる。図４（ａ）と図４（ｂ）の相違点はマスクオブジェクト４０４と画像サイズオブジェクト４０５が重ねて表示されているか否かのみである。すなわち、図４（ｂ）の表示に切り替わると、マスクオブジェクト４０４と画像サイズオブジェクト４０５が新たに表示される。
【００４５】
ここで、図５を用いて、図４（ｂ）の表示部１１３に表示される画像やオブジェクトを説明する。図５は、表示部１１３の表示内容を各レイヤに分割して示した図である。すなわち、図５（ａ）〜図５（ｄ）は、分割された各レイヤにおける表示内容を示している。図５（ａ）に示す画像表示部レイヤは、最下部のレイヤであり、複数の画像で構成された画像表示部４０１が表示される。図５（ｂ）に示すツールバーレイヤは、図５（ａ）に示すレイヤの上のレイヤであり、各種指示オブジェクト、具体的には、画像枚数切替え部４０２及び印刷設定ボタン３０４のボタン操作部が含まれている。図５（ｃ）に示すマスクオブジェクトレイヤは、透過性のあるマスクオブジェクト４０４が表示され、図５（ｄ）に示す最上部の画像サイズオブジェクトレイヤは、画像サイズオブジェクト４０５が表示される。ここで、マスクオブジェクト４０４は、この下に配置されるオブジェクト等に対するユーザ操作を無効とするオブジェクトであり、画像サイズオブジェクト４０５は、命令された印刷枚数に変更した場合の画像のサイズを示すオブジェクトである。本実施形態では、画像データの表示数に応じて、画像のサイズを変更する。画像サイズオブジェクト４０５は、画像データの表示数及びその表示数に応じて変更される表示サイズを視覚的に示すものである。
【００４６】
最下方に５（ａ）、その上に図５（ｂ）、さらにその上に図５（ｃ）、最上方に５（ｄ）と重ねることにより、表示部１１３において最終イメージ（図４（ｂ））が生成される。図４（ｂ）に示すように、マスクオブジェクトレイヤと画像サイズオブジェクトレイヤに含まれているオブジェクト類は、画像表示部レイヤに含まれているオブジェクトの上に配置されていて、ツールバーレイヤの上には配置されない。また、タッチ操作によるイベントは、上方のレイヤから配置されているオブジェクトに対して発行されるため、図５（ｂ）のツールバーレイヤへのオブジェクトに対するタッチイベントは発行される。図５（ａ）の画像表示部レイヤの画像表示部４０１の上方には、これを覆う形でマスクオブジェクト４０４が配置される。このため、画像表示部４０１に対してタッチイベントは発行されない。なお、マスクオブジェクト４０４は透過性であり、ユーザは画像表示部レイヤの表示内容を確認することができる。本実施形態では、上方のレイヤに表示されている画像サイズオブジェクト４０５は単純な線や矩形などからなる簡易な構成とした。これにより、表示に関する処理負荷を比較的少なくすることができる。先に説明した通り各レイヤの表示は独立して表示の切替えが可能となっている。
【００４７】
図１０は、図５（ａ）の画像表示部レイヤにおける画像枚数切替え命令がされた場合にＣＰＵ１０１が実行する処理のフローチャートである。
【００４８】
ＣＰＵ１０１は、詳細は後述するが、枚数切替えの命令を受けることで処理が開始する（Ｓ１００１）。現在表示されている全画像をクリアし、命令された表示枚数に応じて、画像を配置するコマ情報、表示画像サイズの決定などの初期化処理を行う（Ｓ１００２）。
【００４９】
次に、画像リストから１枚ずつ画像データを読み出して、表示画像サイズに応じたデコード処理、コマ情報に従った配置処理を行い１つの画像データを定められた位置に表示する（Ｓ１００３）。表示画像サイズの大きさによってはＪＰＥＧフォーマットで定められているサムネイル画像を用いてデコード処理を行うことも可能である。
【００５０】
これらの一連の処理を表示枚数分終了したか（全画像終了したか）否かを判断して（Ｓ１００４）、全ての画像表示が終了すると処理を終了する（Ｓ１００７）。
【００５１】
全画像終了していない場合は、Ｓ１００５へ進む。Ｓ１００５では、次の画像サイズへの切り替えの命令（次の画像枚数切り替え命令）があるかを判定する。一連の画像デコード処理（Ｓ１００３）は処理負荷が重いため、全ての画像に対する表示処理が終わる前にユーザ操作により次の表示枚数切替え命令が発行される場合があるためである。次の画像枚数切り替え命令がない場合は、Ｓ１００３へ戻る。
【００５２】
処理中に次の画像枚数切替え命令が発行されると（Ｓ１００５）、一旦画像デコード表示処理を中断し（Ｓ１００６）、処理を終了する（Ｓ１００７）。この場合は、次の命令によって再び画像枚数切替え処理が開始される（Ｓ１００１）。
【００５３】
上述したように、常に表示に必要な画像のデコードのみを行うことでＣＰＵ１０１の処理負荷だけでなく、ＤＲＡＭ１０３などの一時的な保存メモリが少ない構成で枚数切替え表示を実現するという効果が得られる。
【００５４】
図４，６及び図９を用いて、画像表示枚数切替え操作について詳細に説明する。図９は、画像処理装置１００における一覧表示モードにおいて、枚数切替えスイッチ４０３をタッチ操作した場合のＣＰＵ１０１が実行する画像表示切替え処理のフローを示している。また、図は、一覧表示モードにおける画像表示例を示す図である。
【００５５】
図４（ａ）の一覧表示モードにおける表示状態で画像枚数切替え部４０２内を指３０６によりタッチすることで処理が開始する（Ｓ９０１）。
【００５６】
処理の開始により、表示部１１３は、図４（ｂ）の枚数切替えモードの表示となる。具体的には、画像選択が無効であることを示すために、表示画像が認識可能なレベルの透過処理が施されたマスクオブジェクト４０４を画像表示部４０１の全てを覆うように配置する。すなわち、マスクオブジェクト４０４をマスクオブジェクトレイヤに表示する（Ｓ９０２）。また、これと同時に画像枚数と表示サイズを簡易的に表す線により構成された格子型の画像サイズオブジェクト４０５を画像サイズオブジェクトレイヤに表示する（Ｓ９０３）。上述したように、本実施形態では、画像枚数切替え部４０２内はタッチされる位置により複数段階の画像サイズのうち特定の画像サイズに変更することが可能な構成になっている。最初にタッチされた位置に応じて、枚数切替えスイッチ４０３を移動して表示を切替え、また位置に応じた画像サイズを示す画像サイズオブジェクト４０５を表示する。
【００５７】
その後、継続してタッチパネル１１５における操作を確認する。具体的には、画像枚数切り替え部４０２のタッチ操作の変化を判定する（Ｓ９０４）。
【００５８】
画像枚数切り替え部４０２のタッチ操作が移動した場合、画像サイズオブジェクト４０５の表示を変更する。具体的には、枚数切替えスイッチ４０３から指３０６を離さずに画像枚数が少ない方向（現在の中央位置から図では左方向）に動かされたことが検出されると、図６（ａ）に示すように、指３０６に追随する形で枚数切替えスイッチ４０３の表示が移動する。これと同時に、画像枚数切替え部４０２内の段階に応じた画像サイズオブジェクト４０５に切替えて表示する（Ｓ９０５）。本実施形態では、画像枚数（６枚）のときの各画像のサイズを視覚的に表す画像サイズオブジェクト４０５に切り替える。画像処理装置１００は、その後も継続してタッチ操作の変化を確認する（Ｓ９０４）。
【００５９】
Ｓ９０４において、ユーザがタッチパネルから指３０６を離したことが確認されると、表示サイズの変更が確定（決定）し、表示画面から画像サイズオブジェクト４０５を取り除き（Ｓ９０６）、また、マスクオブジェクト４０４も取り除く（Ｓ９０７）。
【００６０】
次に、新たに設定された画像サイズがこれまで設定されていた画像サイズと同じかどうか判定する（Ｓ９０８）。画像サイズの変更があった場合には、変更後の表示枚数に応じた画像枚数切替え命令を発行する（Ｓ９０９）。変更が無かった場合には、画像枚数切替え命令を発行せずに処理を終了する（Ｓ９１０）。
【００６１】
ここで、画像枚数を増加させるように画像表示を変更する場合について、具体例を挙げて説明する。例えば、図６（ａ）の２０枚画像表示中の状態でスイッチを左の６枚に移動した表示状態から指３０６をリリースすると、画像サイズオブジェクト４０５、マスクオブジェクト４０４が消える。その後、画像枚数切替え命令により画像表示部レイヤが更新され、現在の２０枚の画像を消去し、新たに設定された６枚に応じた画像サイズでの表示に切り替わる。全ての画像が表示されると最終的に図６（ｂ）の６枚表示に切替わる。
【００６２】
本実施形態では、画像サイズを変更する前に、予め簡易な構成からなる画像サイズオブジェクト４０５により、切り替わった後の画像サイズをユーザが確認することができる。これにより、ユーザは所望の画像サイズの選択の操作性が向上する。また、本実施形態では、画像の表示サイズが決定してから画像デコードが行われる構成となるので、不用意な画像デコード処理が実行されず、ＣＰＵ１０１の負荷が軽減される。
【００６３】
ここで、図４、図６及び図７を用いて、画像の表示例について具体例を挙げて説明する。例えば、図４（ａ）の２０枚表示状態から、画像枚数切替え部４０２の枚数切替えスイッチ４０３をタッチすると枚数切替えモードに入り、図４（ｂ）に表示が切替わる。現在表示されている枚数切替えスイッチ４０３（中央）よりも右側や左側をユーザが直接触れることにより、表示部１１３では触れた位置に追随して枚数切替えスイッチ４０３の表示を移動させる。これと同時に、画像サイズオブジェクト４０５もタッチ位置に応じた画像枚数を示す表示となる。図４（ｂ）の表示状態から枚数切替えスイッチ４０３にタッチしたまま指３０６を移動することにより、図１１のＳ９０４及びＳ９０５の処理が繰り返され、表示変更負荷の少ない枚数切替えスイッチ４０３と画像サイズオブジェクト４０５の表示のみが切替わる。
【００６４】
例えば、図４（ｂ）の表示状態から枚数切替えスイッチ４０３にタッチしたまま指３０６を枚数が少ない方向（図では左）に動かすと、図６（ａ）の６枚表示に、元に戻す（図では中央）と図４（ｂ）の２０枚表示に、枚数が多い方向（図では右）に動かすと図７（ａ）の８０枚表示に順次切替わる。
【００６５】
図４（ａ）の状態から直接、画像枚数切替え部４０２の左側に触れると、図６（ａ）に示すような画像サイズオブジェクト４０５の表示に切り替わる。すなわち、枚数切替えスイッチ４０３を中央から左に動かすとツールバーレイヤの枚数切替えスイッチ４０３と画像サイズオブジェクトレイヤのオブジェクトのみ６枚表示の画像サイズに表示が切替わる（図６（ａ）参照）。
【００６６】
その後、指を触れたまま離さずに枚数切替えスイッチ４０３を元の中央位置に戻すと、枚数切替えスイッチ４０３の表示と画像サイズオブジェクト４０５の表示のみを切り替えて表示する。すなわち、スイッチを離さずに元の中央位置に戻すと、枚数切替えスイッチ４０３及び画像サイズオブジェクト４０５のみが再描画され、図４（ｂ）の表示に切替わる。その状態で枚数切替えスイッチ４０３を離すと、上方レイヤのオブジェクトのみが消え、図４（ａ）に示す２０枚表示に切替わる（図４（ａ）に戻る）。このケースにおいては、表示切替え中は、比較的処理速度の速い上方のレイヤの描画の変更のみが実行され、比較的処理速度の遅い画像デコードが実行されないのでＣＰＵ１０１の負荷が軽減される。
【００６７】
一方、図６（ａ）の状態で枚数切替えスイッチ４０３を離すと画像枚数切替え命令により新たな画像サイズによってデコードされた複数のサムネイル画像が表示され、最終的に図６（ｂ）の表示に切替わる。図７（ａ）の状態で枚数切替えスイッチ４０３を離すと画像枚数切替え命令により新たな画像サイズによってデコードされた複数のサムネイル画像（４０１（ｄ）など）が表示され、最終的に図７（ｂ）の表示に切替わる。
【００６８】
ここで、画像表示切替え処理のうち、画像表示部レイヤの表示切替えと、ツールバーレイヤ及び画像サイズオブジェクトレイヤの表示切替えは双方を独立して処理が行うことが可能である。したがって、本実施形態では、サムネイル画像がまだ更新されていない状態で、枚数切替えスイッチにより再度サイズを変更できるように設定した。図８に、サムネイル画像がまだ更新されていない状態で再度、枚数切替えスイッチ４０３により変更を開始した例を示す。図８（ａ）は、図７（ｂ）のサムネイル画像がまだ更新完了していない状態で再度、枚数切替えスイッチ４０３により変更を開始した表示例である。図８（ａ）では、画像表示部レイヤは、切替え後の８０枚画像表示のために、画像４０１（ｅ）の左上の画像から画像リストに従い順次画像デコード処理を行い、表示を切り替えている。このとき、枚数切替えスイッチ４０３の操作（図８（ａ）では右側から中央へ移動）により、ツールバーレイヤとサイズオブジェクトレイヤへの表示は独立して切り替えられる。この表示切り替え最中にも順次画像表示部レイヤへの画像デコードは継続し、１枚ずつ画像がデコードされ表示が更新される。枚数切替えスイッチ４０３の操作をさらに左（６枚）に切り替えると、図８（ｂ）に示すように、画像デコードは継続した状態で、ツールバーレイヤとサイズオブジェクトレイヤの表示が切り替わる。なお、この時点で枚数切替えスイッチ４０３をリリースする操作を受け付けると、６枚表示に切り替えるために画像表示部レイヤへの画像デコードは中断し（図１０のＳ１００６で説明）、再度６枚表示のための画像デコード処理を開始し、図６（ｂ）の表示に切り替わる。
【００６９】
本実施形態では、処理の重い画像デコードと、処理の比較的軽い表示部の切替え操作を独立して、表示枚数を変更した後の表示イメージ（画像の表示数及び表示サイズ）が確認できることにより、ＣＰＵ１０１の負荷が軽減される。またタッチパネルにおける枚数切替えスイッチ４０３の指３０６を左右に動かす操作による枚数切替え指示、離すことによる表示サイズの決定が可能な構成とすることで、ユーザ操作手順がハードボタンによる操作よりも簡易になる。
【００７０】
すなわち、本実施形態では、タッチパネルでの画像一覧表示モードにおける表示枚数を切替え操作において、枚数切替え中は画像デコードを行わず、表示負荷の少ない切替え後の表示枚数（及び表示サイズ）を示すオブジェクトのみの表示を切替える。そして、表示枚数が決定した後に設定された表示サイズにより画像デコードを開始する。このように、画像データに基づく画像の表示数を切替える際に、画像自体の表示前に、画像の表示数及び表示サイズを視覚的に示すことにより、処理負荷を抑え、ユーザに画像の表示数や表示サイズを容易に決定させることができる。
（他の実施形態）
以上、本発明の各実施形態を説明したが、本発明の基本的構成は上述したものに限定されるものではない。
【００７１】
上述した実施形態では画像サイズオブジェクト４０５は格子型の形状で説明したが、これに限定されるものではなく、画像の表示サイズを示す形状であり且つ処理負荷が少なく高速に表示可能であれば、他の形状であってもよい。
【００７２】
上述した実施形態では、表示枚数の切替えは６枚、２０枚、８０枚の３段階を持つ構成で説明したが、これに限定されるものではない。画像表示、タッチイベント取得可能な表示枚数であれば枚数に制約はなく、また、複数の切替え段階を持っていればよい。
【００７３】
上述した実施形態では、画像データの表示数を切替え後の画像の表示数及び表示サイズを視覚的に示すものとしたが、これに限定されず、例えば、表示サイズのみを視覚的に示すものとしてもよい。
【００７４】
上述した実施形態では、操作パネル１１１がタッチパネル１１５を備え、タッチパネルセンサによってユーザ操作を検出するものとしたが、表示装置はこれに限定されるものではない。例えば、表示装置は、表示部の外に設けられたハードキー等によりユーザ操作を検出するものとしてもよいし、マウス等のポインティングデバイスによる表示部の各種ボタンの押下などのユーザ操作を検出するものとしてもよい。
【００７５】
また、上述した実施形態では、切替え指示に基づき表示サイズが決定した後、デコード処理を行って所定の表示サイズで画像の表示を行うようにしたが、これに限定されるものではない。例えば、以前にデコードした際の画像データをキャッシュメモリに格納し、所定の表示サイズで画像の表示を行う場合はキャッシュメモリから読み出すようにしてもよい。
【００７６】
上述した実施形態は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【００７７】
１００  画像処理装置
１０１  ＣＰＵ
１１３  表示装置
４０１  画像表示部（一覧表示モード）
４０２  画像枚数切替え部
４０３  枚数切替えスイッチ
４０４  マスクオブジェクト
４０５  画像サイズオブジェクト
【図１】
2019070808.tif 000003
【図２】
2019070808.tif 000004
【図３】
2019070808.tif 000005
【図４】
2019070808.tif 000006
【図５】
2019070808.tif 000007
【図６】
2019070808.tif 000008
【図７】
2019070808.tif 000009
【図８】
2019070808.tif 000010
【図９】
2019070808.tif 000011
【図１０】
2019070808.tif 000012
【図１１】
2019070808.tif 000013
【図１２】
2019070808.tif 000014